(57)【要約】【課題】本発明は、容器入り固形麺への給湯時に熱湯がはねることを防止することを課題としている。【解決手段】上記課題を解決するために、本発明は、容器または容器入りの固形麺の外周に給湯口を設けた構造となっている。【選択図】図１
2005270078.tif 000002
【特許請求の範囲】
【請求項１】
表面外周に少なくとも一つの凹型の給湯口を備えた容器入りの固形麺。
【請求項２】
表面外周に少なくとも一つの凸型の給湯口を備えた固形麺格納用の容器。
【発明の詳細な説明】
【技術分野】  本発明は固形麺および固形麺格納用の容器に関するものである。
【背景技術】  近年、コンビニエンスストアやスーパーなどで容器入りの固形麺が多種類販売され、独身者等の一人暮らしをする者の絶大なる支持を受けている。これら容器入りの固形麺は食用する際に熱湯を注ぐことで食用可能な状態にするものであって、購入時には固形麺は乾燥または半乾燥した状態になっているため保存性が高い。また、食用時に熱湯を注ぐのみで食用可能な状態に戻せるため、非常に手軽である。
容器入りの固形麺は、発泡スチロール等で構成された容器に、油で揚げること等により乾燥された固形の乾燥麺がその上部を隙間なく封入されている（特許文献１、図３を参照）。
容器入りの固形麺に熱湯を注ぐ場合、使用者は一般にポットややかん、なべで湯を沸かし、ここから容器入りの固形麺の表面に熱湯を注ぐ。しかし、ポットの給湯スピードは調整できない場合が多く、また、ポットの給湯口の位置も調整できない場合が多い。やかんやなべから給湯する場合であってもやかんの給湯口の角度により予想以上の強い勢いで熱湯を注いでしまう場合がある。
従来の容器入り固形麺の表面は平らであり、また、容器と固形麺上面の隙間が少ないため、やかんやポット、なべのお湯が容器入り固形麺の表面に勢いよくかかると、熱湯がはねて使用者の手や顔にしぶきが飛ぶことがある。また、容器入り固形麺には粉末スープやかやくが付属していることが多いが、給湯より先に粉末スープやかやくを固形面の表面に入れている場合、これらの粉末スープやかやくが給湯時の熱湯の勢いに乗って熱湯と一緒にはね、容器の外に飛び出してしまうこともある。このような状況は使用者にやけどの危険を与えるのみならず、粉末スープやかやくの無駄を生じさせるものであり、なるべく回避したいものである。
【特許文献１】特開２０００−２１７５２８号公報
【発明の開示】
【発明が解決しようとする課題】  本発明は、容器入り固形麺への給湯時に熱湯がはねることを防止することを課題としている。
【課題を解決するための手段】  上記課題を解決するために、本発明は、容器または容器入りの固形麺の外周に給湯口を設けた構造となっている。
【発明の効果】  本発明の容器入り固形麺によると、給湯時に熱湯がはねることを防止することができる。
【発明を実施するための最良の形態】  （実施の形態１）
図１は本発明の実施の形態１における容器入り乾燥麺１の外観を示した図であり、図２は容器入り乾燥麺１の断面を示した図である。
図１、図２において、発泡スチロール製の容器２の紙蓋３は、容器２の内部に格納された乾燥麺４に熱湯を注ぐべく、容器２のほぼ中央部分まで開封されている。乾燥麺４の表面外周には、熱湯を注ぎ込むための給湯口５が、乾燥麺４の表面側に露出した部分をほぼ半円形にするように切り込まれている。なお、容器２の底部には、熱湯が溜まるように隙間６が設けられている。図２において、乾燥麺４の表面には乾燥野菜等、いわゆるかやく７が載せられている。図１、２において、乾燥麺４の表面には粉末状または固形、半固形、液体状のスープが載せられているが、ここでは省略する。
このように固形麺４の外周に給湯口５を設け、この給湯口５から熱湯を給湯することで、ポット８からの熱湯が乾燥麺の表面にあたって跳ね返り、使用者の手や顔にしぶきが飛んだり、乾燥麺の表面においた粉末スープやかやく７が給湯時の熱湯の勢いに乗って熱湯と一緒にはね容器の外に飛び出してしまうことを防止することができる。
本実施の形態１においては、乾燥麺４の表面の外周に、乾燥麺４の表面側に露出した部分をほぼ半円形にするように給湯口５が切り込まれている例を挙げて説明した。しかし、本発明の効果はこのような形状に限定されるものではない。たとえば、図３（ａ）、（ｂ）に示す通り、給湯口５の乾燥麺４の表面側に露出した部分が三角形（図３（ａ））や四角形（図３（ｂ））等であってもよい。要はポットややかんから熱湯を給湯する際に乾燥麺４の表面の平らな部分に熱湯が直接かかってしぶきが跳ね返るのを防止できる切り込みであればどのような形であっても良く、例えば、ポットからの給湯のみを想定するのであれば、図４に示すように、ポットに設けられた給湯口９の穴の直径Ｘｍｍと同じ大きさまたはこれに少しクリアランスを設けた程度の大きさの切り込みが乾燥麺４の表面に給湯口５として設けられていればよい。
また、本実施の形態１では、給湯口５が容器２の底部の隙間６まで貫通していない例を挙げたが、図５に示す通り、乾燥麺４の表面から容器２の底部の隙間６に貫通したものであってもよい。このように、給湯口５を隙間６まで貫通した形状とすることで、本発明が意図する熱湯の飛び跳ね防止の効果とともに、迅速なる給湯をも実現することが可能になる。
さらに、本実施の形態１では、乾燥麺４の表面外周の一箇所にのみ給湯口５を備えた例を挙げたが、図６に示す通り、乾燥面４の表面外周に均等に３箇所の給湯口５を設けることも可能である。このように、３箇所の給湯口５を設けることで、容器２の中に納まった乾燥麺４が輸送中の揺れにより容器２の中で回転したとしても、紙蓋３をめくった位置に給湯口５が位置することとなり、お湯跳ね防止の効果を確実に確保することができる。もちろん給湯口５の数は３ヶ所に限られるものではなく、２箇所あるいは４箇所以上であってもよい。紙蓋３がめくられる位置との関係で給湯口の数を最適化することが可能である。例えば、紙蓋３を全てはがしてから給湯するような容器入り乾燥麺の場合、１箇所に給湯口５があれば本発明の目的は達成されるが、３分の１程度までだけ紙蓋３をはがすような場合は３〜４箇所の給湯口５を設けたほうがより確実に本発明の効果を奏することができる。要は紙蓋３をはがした場合に外部から見える範囲の乾燥麺４に１箇所の割合で給湯口が存在すればよいのである。
なお、本実施の形態１では容器２を発泡スチロール製としたが、これに限られるものではない。また、容器２の蓋についても紙蓋を用いたが、これに限られない。いずれも、一般的な容器入りの乾燥麺に適したものであれば何でも良い。もちろん、麺も本実施の形態１では乾燥麺に限定して説明したが、反乾燥麺や生麺等、いわゆる固形麺であれば何でも良い。
また、本実施の形態１では、容器２がほぼ半円形のお椀型のものを用いて説明したが、これに限らず、図７、図８に示すタイプの容器であっても良い。
さらに、本実施の形態１では乾燥麺のみ説明したが、本発明の概念は乾燥麺に限らず、湯戻し式の雑炊や野菜、カレー、コーヒー、スープ等においても実現可能である。
また、本実施の形態１では乾燥麺４の表面外周部に給湯口５が設けてあるもののみを説明したが、乾燥麺４の外周部以外の部分に給湯口を設けることも可能である。
（実施の形態２）
図９は本発明の実施の形態２における乾燥麺格納用の容器２０の外観を示した図である。
図９において、発泡スチロール製の容器２０の外周部には、凸型の給湯口２１が設けられている。内部に格納された固形麺や粉末スープ、かやく等は省略している。
容器入りの固形麺の使用者は、ポットややかんからの熱湯を、容器２０の給湯口２１めがけて注入する。給湯口２１において、内部に格納された固形麺と容器２０の外周との間に隙間ができているため、ポット等からの熱湯が容器２０の内部に格納された固形麺の表面にあたって跳ね返り、使用者の手や顔にしぶきが飛んだり、固形麺の表面においた粉末スープやかやくが給湯時の熱湯の勢いに乗って熱湯と一緒にはね、容器の外に飛び出してしまうことを防止することができる。さらに、湯はねがないため、迅速な給湯も実現される。この場合、容器２０の表面に設けられる蓋がめくられる部分に給湯口２１を設けると良い。
本実施の形態２においては，容器２０の外周に、表面側をほぼ半円形にするように給湯口２１が設けられている例を挙げて説明したが、図１０（ａ）、（ｂ）に示す通り、給湯口２１の表面側が三角形（図１０（ａ））や四角形（図１０（ｂ））等であってもよい。ポットややかんから熱湯を給湯する際に容器２０の内部に格納された固形麺の表面の平らな部分に熱湯が直接かかってしぶきが跳ね返るのを防止できる形状であればどのような形であっても良く、例えば、ポットからの給湯のみを想定するのであれば、図１１に示すようにポット２２に設けられた給湯口２３の穴の直径Ｙｍｍと同じ大きさまたはこれに少しクリアランスを設けた程度の大きさの給湯口２１であればよい。
また、本実施の形態２では、給湯口２１が容器２０の底部まで貫通している例を挙げたが、図１２（ａ）（ｂ）に示す通り、容器２０の表面から容器２０の底部まで貫通していないものであってもよい。この場合も本発明が意図する熱湯の飛び跳ね防止の効果とともに、迅速なる給湯をも実現することが可能になる。
さらに、本実施の形態２では、容器２０の外周の一箇所にのみ給湯口２１を備えた例を挙げたが、容器２０の外周に複数個の給湯口２１を設けることも可能である。これにより、使用者はどの給湯口からでも給湯できるという選択肢を得ることになる。
なお、本実施の形態２では容器２０の素材を特に限定していないが、発泡スチロールや紙等、一般的な固形麺格納用の容器に適したものであれば何でも良い。もちろん、容器２０の内部に格納される固形麺も本実施の形態２では特に限定していないが、乾燥麺や反乾燥麺、生麺等、どのようなものであっても良い。
また、本実施の形態２では、容器２がほぼ半円形のお椀型のものを用いて説明したが、これに限らず、実施の形態１の図７、図８で示したタイプであっても良い。
さらに、本実施の形態２では固形麺のみ説明したが、本発明の概念は固形麺に限らず、湯戻し式の雑炊や野菜、カレー、コーヒー、スープ等を格納する容器においても実現可能である。
【産業上の利用可能性】  本発明は、固形麺および固形麺格納用の容器に関するものであり、熱湯給湯時のお湯跳ね防止が可能になる点で有用である。
【図面の簡単な説明】
【図１】本発明の実施の形態１における容器入り乾燥麺の外観図
【図２】本発明の実施の形態１における乾燥麺の断面図
【図３】本発明の実施の形態１における容器入り乾燥麺の外観図
【図４】本発明の実施の形態１における給湯口を示した図
【図５】本発明の実施の形態１における乾燥麺の断面図
【図６】本発明の実施の形態１における乾燥麺の表面図
【図７】本発明の実施の形態１における容器入り乾燥麺の外観図
【図８】本発明の実施の形態１における容器入り乾燥麺の外観図
【図９】本発明の実施の形態２における容器の外観図
【図１０】本発明の実施の形態２における容器の外観図
【図１１】本発明の実施の形態２における給湯口を示した図
【図１２】本発明の実施の形態２における容器の外観図
【符号の説明】
１    容器入り乾燥麺
２    容器
３    紙蓋
４    乾燥麺
５    給湯口
６    隙間
７    かやく
８    ポット
９    給湯口
２０    容器
２１    給湯口
２２    ポット
２３    給湯口
【図１】
2005270078.tif 000003
【図２】
2005270078.tif 000004
【図３】
2005270078.tif 000005
【図４】
2005270078.tif 000006
【図５】
2005270078.tif 000007
【図６】
2005270078.tif 000008
【図７】
2005270078.tif 000009
【図８】
2005270078.tif 000010
【図９】
2005270078.tif 000011
【図１０】
2005270078.tif 000012
【図１１】
2005270078.tif 000013
【図１２】
2005270078.tif 000014